(57)【要約】【課題】捕虫器において、虫に電撃を与えたときに生じる破裂音を確実に消音する。【解決手段】電撃殺虫器（捕虫器）１は、虫に電撃を与えるための電撃格子２と、電撃格子２に高電圧を印加する高電圧源３と、電撃格子２によって虫に電撃を与えたときに生じる破裂音を消音するための消音スピーカ４と、虫を誘引する光を出射する誘虫光源５１を有した虫徘徊用台５と、虫徘徊用台５を撮像し、その画像データを取得する虫観察用カメラ（画像データ取得手段）６と、虫観察用カメラ６による画像データに基づいて高圧電源３及び消音スピーカ４を制御する制御部７とを備える。制御部７は、虫徘徊用台５に居る虫の個体数又は大きさを演算し、この演算結果から予測される破裂音と逆位相の波形を有した逆位相音を決定する。さらに、制御部７は、高電圧源３により電撃格子２に高電圧を印加するタイミングに合わせて、決定された逆位相音を消音スピーカ４から発生させる。【選択図】図１
2009284785.tif 000002
【特許請求の範囲】
【請求項１】
虫に電撃を与えるための電撃格子と、前記電撃格子に高電圧を印加する高電圧源とを備えた捕虫器において、
前記電撃格子によって虫に電撃を与えたときに生じる破裂音を消音するための消音スピーカと、
虫を誘引する誘虫源を有した虫徘徊用台と、
前記虫徘徊用台に居る虫の個体数又は大きさを演算し、この演算結果から予測される破裂音と逆位相の波形を有した逆位相音を決定する制御部と、を備え、
前記制御部は、前記高電圧源により前記電撃格子に高電圧を印加するタイミングに合わせて前記決定された逆位相音を前記消音スピーカから発生させることを特徴とする捕虫器。
【請求項２】
前記虫徘徊用台を撮像し、その画像データを取得する画像データ取得手段をさらに備え、
前記制御部は、前記画像データ取得手段により取得された画像データに基づいて前記虫徘徊用台に居る虫の個体数又は大きさを演算することを特徴とする請求項１に記載の捕虫器。
【請求項３】
前記虫徘徊用台に配置された電線と、
前記電線の抵抗データを測定する抵抗データ測定手段とをさらに備え、
前記制御部は、前記抵抗データ測定手段により測定された抵抗データに基づいて前記虫徘徊用台に居る虫の個体数又は大きさを演算することを特徴とする請求項１に記載の捕虫器。
【請求項４】
前記電撃格子に高電圧を印加するタイミングを変更する切替スイッチをさらに備えることを特徴とする請求項１乃至請求項３のいずれか一項に記載の捕虫器。
【請求項５】
前記制御部は、本器具周辺の湿度に応じて、前記消音スピーカから発生させる逆位相音の振幅を変化させることを特徴とする請求項１乃至請求項４のいずれか一項に記載の捕虫器。
【請求項６】
前記消音スピーカは、前記虫徘徊用台を挟んで前記電撃格子が配置されている側とは反対側に複数設置されていることを特徴とする請求項１乃至請求項５のいずれか一項に記載の捕虫器。
【発明の詳細な説明】
【技術分野】
【０００１】
本発明は、ハエや蚊等の飛翔性を持った害虫に電撃を与える電撃格子を備えた捕虫器に関する。
【背景技術】
【０００２】
従来から、上述のような捕虫器では、電撃格子には高電圧が連続的に印加され、虫が電撃格子に接触又は接近すると、絶縁破壊が生じて虫に放電による電撃を与えるようになっており、このとき破裂音が生じることが知られている。
【０００３】
そこで、破裂音のような各種騒音を消音する技術として、マイクにより騒音を検出してその波形を解析し、この解析結果に基づいて騒音と逆位相の波形を有した逆位相音をスピーカから発生させるものがある（例えば、特許文献１参照）。しかし、上記捕虫器において、電撃格子に高電圧が印加されている状態では破裂音の生じるタイミングが不規則であるため、上述のような消音技術では、逆位相音を発生するタイミングが破裂音の生じるタイミングに対して微妙に遅れ、互いの音が打ち消されずに破裂音を消音できないことがある。
【０００４】
なお、破裂音による不快感を緩和する機能を有した捕虫器として、電撃格子によって虫に電撃を与えたときに、耳に優しい電子音をスピーカから発生させるものがある（例えば、特許文献２及び特許文献３参照）。しかし、このような捕虫器では、上記電子音によって破裂音を掻き消すことは可能であるが、破裂音の消音を実現できない。
【特許文献１】特開平７−３１５７２８号公報
【特許文献２】実登３１２９６４１号公報
【特許文献３】実登３１２９５０５号公報
【発明の開示】
【発明が解決しようとする課題】
【０００５】
本発明は、上記問題を解決するためになされたものであり、虫に電撃を与えたときに生じる破裂音を確実に消音できる捕虫器を提供することを目的とする。
【課題を解決するための手段】
【０００６】
上記目的を達成するために請求項１の発明は、虫に電撃を与えるための電撃格子と、前記電撃格子に高電圧を印加する高電圧源とを備えた捕虫器において、前記電撃格子によって虫に電撃を与えたときに生じる破裂音を消音するための消音スピーカと、虫を誘引する誘虫源を有した虫徘徊用台と、前記虫徘徊用台に居る虫の個体数又は大きさを演算し、この演算結果から予測される破裂音と逆位相の波形を有した逆位相音を決定する制御部と、を備え、前記制御部は、前記高電圧源により前記電撃格子に高電圧を印加するタイミングに合わせて前記決定された逆位相音を前記消音スピーカから発生させるものである。
【０００７】
請求項２の発明は、請求項１に記載の発明において、前記虫徘徊用台を撮像し、その画像データを取得する画像データ取得手段をさらに備え、前記制御部は、前記画像データ取得手段により取得された画像データに基づいて前記虫徘徊用台に居る虫の個体数又は大きさを演算するものである。
【０００８】
請求項３の発明は、請求項１に記載の発明において、前記虫徘徊用台に配置された電線と、前記電線の抵抗データを測定する抵抗データ測定手段とをさらに備え、前記制御部は、前記抵抗データ測定手段により測定された抵抗データに基づいて前記虫徘徊用台に居る虫の個体数又は大きさを演算するものである。
【０００９】
請求項４の発明は、請求項１乃至請求項３のいずれか一項に記載の発明において、前記電撃格子に高電圧を印加するタイミングを変更する切替スイッチをさらに備えるものである。
【００１０】
請求項５の発明は、請求項１乃至請求項４のいずれか一項に記載の発明において、前記制御部は、本器具周辺の湿度に応じて、前記消音スピーカから発生させる逆位相音の振幅を変化させるものである。
【００１１】
請求項６の発明は、請求項１乃至請求項５のいずれか一項に記載の発明において、前記消音スピーカは、前記虫徘徊用台を挟んで前記電撃格子が配置されている側とは反対側に複数設置されているものである。
【発明の効果】
【００１２】
請求項１の発明によれば、電撃格子に高電圧を印加するタイミングと同時に、制御部によって決定された逆位相音が消音スピーカによって発せられるので、虫に電撃を与えたときに生じる破裂音が消音スピーカからの逆位相音によって的確に打ち消され、消音される。また、虫徘徊用台に居る虫の個体数又は大きさに応じて、適切な逆位相音が消音スピーカによって発せられるので、破裂音に対する上記消音性能が向上する。
【００１３】
請求項２の発明によれば、虫に電撃を与えたときに生じる破裂音を正確に予測できるので、一層適切な逆位相音が消音スピーカによって発せられ、破裂音に対する上記消音性能が向上する。
【００１４】
請求項３の発明によれば、虫徘徊用台に居る虫の個体数又は大きさを取得するために、カメラのような別装置を用いる必要がないので、本器具の外観設計を殆ど変更することなく、既存の器具の外観サイズを維持できる。
【００１５】
請求項４の発明によれば、電撃格子に高電圧を印加するタイミングを本器具の使用環境に応じて変更できるので、虫徘徊用台に居る虫の状況に最適な消音制御が可能となる。例えば、虫徘徊用台に居る虫の個体数に応じてこの電圧印加タイミングを変化させることにより、本器具の省エネルギー化を図りながらも破裂音を消音できる。
【００１６】
請求項５の発明によれば、本器具周辺の湿度変化による破裂音の振幅変化が消音スピーカからの逆位相音に及ぼす影響を排除できるので、破裂音に対する上記消音性能が向上する。ここで、上記破裂音の振幅変化は、本器具周辺の湿度変化により、虫自身の含水率の変化して虫の誘電体としての抵抗値が変化することや、空気による音の吸収率が変化することに起因するものである。
【００１７】
請求項６の発明によれば、破裂音の発生場所に近接した位置で逆位相音を発生できる。また、複数の消音スピーカが配されることにより、電撃格子の各部位で生じる破裂音に合った逆位相音を、該部位に近接する消音スピーカから発生できるので、破裂音に対する上記消音性能が向上する。
【発明を実施するための最良の形態】
【００１８】
（第１の実施形態）
本発明の第１の実施形態に係る電撃殺虫器（捕虫器）について図１乃至図５を参照して説明する。図１及び図２は本実施形態に係る電撃殺虫器１の構成を示す。電撃殺虫器１は、ハエや蚊等の飛翔性を持つ害虫に電撃を与えて虫を死滅させるものであり、虫の多い屋外空間や屋外空間に面する建物内の空間等に設置される。電撃殺虫器１は、虫１０に電撃を与えるための電撃格子２と、電撃格子２に高電圧を印加する高電圧源３とを備える。また、電撃殺虫器１は、電撃格子２によって虫１０に電撃を与えたときに生じる破裂音を消音するための消音スピーカ４と、虫１０を誘引する誘虫源を有した虫徘徊用台５と、虫徘徊用台５を撮像してその画像データを取得する虫観察用カメラ（画像データ取得手段）６と、虫観察用カメラ６による画像データに基づいて高電圧源３及び消音スピーカ４を制御する制御部７とを備える。虫徘徊用台５には、本器具を建物の天井部分に吊り下げるためのチェーン１１が設けられている。
【００１９】
電撃格子２は、導電性を有した金属棒が複数配列されて縦型の平行格子状とされたものであり、高電圧源３のプラス端子と接続される陽極格子材２１と、高電圧源３のマイナス端子と接続される陰極格子材２２とで構成される。陽極格子材２１と陰極格子材２２は、異極の格子材と隣り合うように交互に配されており、格子間隔は５ｍｍ〜１０ｍｍ程度であり、格子長さは１５０ｍｍ〜３００ｍｍ程度である。ここで、陽極格子材２１と陰極格子材２２の間には、高電圧源３によって４０００Ｖ〜８０００Ｖ程度の高電圧が印加される。このように高電圧が印加された状態で、虫１０が電撃格子２に接触又は接近すると、虫１０が導電体の役目を果たし、瞬間的に虫体内を電流が流れ、これにより虫１０は放電による電撃を受ける。このとき、電撃格子２には、瞬間的に１００ｍＡ程度の電流が流れることになる。
【００２０】
高電圧源３は、電源コード３１を介して商用電源（ＡＣ１００Ｖ）と接続される。高電圧源３は、商用電源の電源周波数を変換するインバータ回路と、インバータ回路により周波数変換された電力を昇圧するパルストランスと、パルストランスにより昇圧された電力を整流する整流回路とで構成される。インバータ回路は、トランジスタによるスイッチング作用を利用したものであり、商用電源からの交流電力は、該インバータ回路によって周波数が１０ｋＨｚ以上に変換される。変換された高周波電力は、パルストランスによって電圧が４０００Ｖ以上に昇圧され、昇圧された高電圧電力は、整流回路によって直流化されて上記陽極格子材２１と陰極格子材２２の間に印加される。
【００２１】
消音スピーカ４は、電撃格子２によって虫１０に電撃を与えたときに生じる破裂音を打ち消すために、この破裂音と逆位相の波形を有した逆位相音を出力する。消音スピーカ４は、虫徘徊用台５を挟んで電撃格子２が配置されている側とは反対側に、虫徘徊用台５に近接して設置されている。
【００２２】
虫徘徊用台５は、電撃格子２の後方に配置され、電撃格子２の電撃範囲と略等しい大きさを有した略方形の導光板により形成されており、この板の側端部に上述した誘虫源として、虫１０を誘引する光を出射する誘虫光源５１を有する。誘虫光源５１は直管形状の捕虫器用光源（ＵＶランプ）であり、誘虫光源５１から出射される光は、虫の走光曲線又は視感度曲線に基づく誘虫効果の高い紫外光を含んでおり、虫徘徊用台５内に導光される。以上のような構成により、誘虫光源５１からの光が虫徘徊用台５の前方から出光され、虫１０が虫徘徊用台５に集まるようになっている。虫観察用カメラ６は、虫徘徊用台５に居る虫１０の状況を常時監視し、虫徘徊用台５を撮像した画像データを制御部７に送信する。虫観察用カメラ６は、建物の天井部分に設置されており、信号線１２により制御部７と接続される。
【００２３】
制御部７は、虫観察用カメラ６から送信される画像データに基づいて、虫徘徊用台５に居る虫１０の個体数及び大きさを演算する。図３は、上記演算の手順を示す。制御部７は、送信される画像データから、予め撮像しておいた虫徘徊用台５に虫が居ないときの画像データを減算する画像処理を行い、虫徘徊用台５に居る虫１０のみを抽出した画像データを取得する。その後、制御部７は、この画像データを解析し、虫徘徊用台５に居る虫１０の個体数及び大きさを演算結果として取得する。
【００２４】
制御部７は、上記演算結果から予測される、虫１０に電撃を与えたときに生じる破裂音と逆位相の波形を有した逆位相音を決定する。具体的には、虫の個体数及び大きさ毎に逆位相音データをテーブル化した音データベースを参照し、上記演算結果に基づき対応する逆位相音データを選択することにより、上記逆位相音を決定する。この音データベースは、制御部７に内蔵されるメモリに予め記憶される。制御部７は、上記選択した逆位相音データを消音スピーカ４に送信し、高電圧源３により電撃格子２に高電圧を印加するタイミングに合わせて、逆位相音を消音スピーカ４から発生させる。
【００２５】
制御部７は、電撃格子２に高電圧を印加するタイミングを変更する切替スイッチ７１を有しており、この電圧印加タイミングは、ユーザにより予め設定される。例えば、虫徘徊用台５に居る虫１０の個体数に応じて電圧印加タイミングを変化させることで、本器具の省エネルギー化を図ることができる。
【００２６】
制御部７は、本器具周辺の湿度に応じて、消音スピーカ４から発生させる逆位相音の振幅を変化させる。上記振幅を変化させる設定内容を詳述すると、本器具周辺の湿度が５０％を下回る低湿度のとき、１００００Ｈｚを越える高音域での、空気による音の吸収率が増加するので、制御部７は、低湿度の場合には発生させる逆位相音の、１００００Ｈｚ以上の振幅を小さくする。また、本器具周辺の湿度が高湿度のとき、虫の含水率が増えて抵抗値が低くなり、且つ虫自身の粘性が上がることにより、１００００Ｈｚを下回る低音域が強調される傾向があるので、制御部７は、高湿度の場合には発生させる逆位相音の、１００００Ｈｚ以下の振幅が大きくする。
【００２７】
ここで、上述した音データベースの作成手順について説明する。まず、虫に電撃を与えたときに生じる破裂音をサンプリングし、該破裂音の大きさや周波数、振幅等が数値データ化された破裂音の波形データを取得する。図４は、供試体として平均的な大きさ（５ｍｍ程度）のイエバエを用いて、複数匹のイエバエに電撃を与えたときに生じる破裂音の波形データを示す。このような波形データを種々の供試体において取得し、種々の波形データを虫の個体数及び大きさ毎にまとめてテーブル化しておく。
【００２８】
上記テーブル化された波形データ毎に、破裂音と逆位相の波形を有した逆位相音データを導出する。このようにして虫の個体数及び大きさ毎にテーブル化された逆位相音データを、音データベースとして構築する。以上の手順は、一般に本器具の開発段階において実行される。ただし、本器具が特殊な環境で使用される場合には、本器具の設置場所において破裂音をサンプリングし、該破裂音に対応する逆位相音を導出してもよい。この場合、本器具の設置場所に適応する逆位相音が得られ、本器具の破裂音に対する消音性能が向上する。
【００２９】
次に、上記のように構成された電撃殺虫器１の作用について説明する。ユーザにより本器具の電源が投入されると、誘虫光源５１が点灯し、且つ虫観察用カメラ６が虫徘徊用台５の監視を始める。誘虫光源５１が点灯していると、誘虫光源５１からの光が虫徘徊用台５の前方から出光され、器具周辺にいる虫１０は虫徘徊用台５に近寄ってくる。制御部７は、虫観察用カメラ６から送信される画像データに基づいて、予め設定されたタイミングで虫徘徊用台５に居る虫１０の個体数及び大きさを演算する。ここで、上記タイミングは、高電圧源３により電撃格子２に高電圧を印加する直前となるように設定される。上記演算の後、制御部７は、音データベースを参照し、上記演算結果に基づき虫徘徊用台５に居る虫１０の個体数及び大きさに対応する逆位相音データを選択する。上記逆位相音データを選択した後、制御部７は、高電圧源３により電撃格子２に高電圧を印加し、且つ逆位相音データを消音スピーカ４に送信し、電圧印加タイミングに合わせて逆位相音を消音スピーカ４から発生させる。これにより、虫徘徊用台５に近寄ってきた虫１０は電撃格子２より電撃を受け、このとき生じる破裂音は、消音スピーカ４によって発せられる逆位相音によって打ち消される。図５は、破裂音の消音原理を示す。図示のように破裂音の波形に逆位相音が加えられると、重ね合わせの原理によって、双方の音において波形の山部分（プラス）と谷部分（マイナス）とが互いに打ち消される。
【００３０】
以上、本実施形態に係る電撃殺虫器１によれば、電撃格子２に高電圧を印加するタイミングと同時に、制御部７によって決定された逆位相音が消音スピーカ４によって発せられるので、虫１０に電撃を与えたときに生じる破裂音が消音スピーカ４からの逆位相音によって的確に打ち消され、消音される。また、虫徘徊用台５に居る虫１０の個体数及び大きさに応じて、適切な逆位相音が消音スピーカ４によって発せられるので、破裂音に対する上記消音性能が向上する。
【００３１】
また、虫１０に電撃を与えたときに生じる破裂音を正確に予測できるので、一層適切な逆位相音が消音スピーカ４によって発せられ、破裂音に対する上記消音性能が向上する。また、電撃格子２に高電圧を印加するタイミングを本器具の使用環境に応じて変更できるので、虫徘徊用台５に居る虫１０の状況に最適な消音制御が可能となる。また、本器具周辺の湿度変化による破裂音の振幅変化が消音スピーカ４からの逆位相音に及ぼす影響を排除できる。また、消音スピーカ４が虫徘徊用台５に近接して設置されているので、破裂音の発生場所に近接した位置で逆位相音を発生できる。
【００３２】
次に、第１の実施形態の電撃殺虫器に用いられる虫徘徊用台の種々の変形例を図６及び図７を参照して説明する。図６に示す本器の虫徘徊用台５は、紫外光を透過する透過板により形成されており、この板の後側に誘虫光源５１を有する。これにより、誘虫光源５１からの光が虫徘徊用台５の前方から出光され、虫１０が虫徘徊用台５に集まるようになっている。図７に示す本器の虫徘徊用台５は反射板により形成されており、この板の前側に誘虫光源５１を有する。誘虫光源５１には、該誘虫光源５１の前方を覆う曲板５２が設けられている。この曲板５２は、内面が反射鏡となっており、誘虫光源５１からの光を虫徘徊用台５に向けて反射する。これにより、誘虫光源５１からの光は曲板５２に反射され、その反射光が虫徘徊用台５で反射されることになり、虫徘徊用台５に近寄ってくる虫１０からは誘虫光源５１から照射される光が直接見えなくなり、虫１０が虫徘徊用台５に集まるようになっている。
【００３３】
（第２の実施形態）
本発明の第２の実施形態に係る電撃殺虫器について図８乃び図９を参照して説明する。図８及び図９は本実施形態に係る電撃殺虫器１の構成を示す。本実施形態において、電撃殺虫器１は、第１の実施形態の虫観察用カメラ６に代えて、虫徘徊用台５の前方に配置された電線８と、電線８の抵抗データを測定する抵抗データ測定部９とを備える。電線８は、陽極格子材２１と陰極格子材２２の間に複数本配されており、電線間隔は本器具の殺虫対象となる虫の体長より狭いことが望ましい。例えば、イエバエを対象とする場合、電線間隔は２ｍｍ以下とする。電線８には常に又は所定のタイミングで微弱な電流が流れており、虫徘徊用台５に近寄ってくる虫１０が隣り合う電線８同士に同時に触れると、電線８にさらに電流が流れ、その虫１０の個体数や大きさに応じて電線８全体の抵抗値が変化する。抵抗データ測定部９は、電線８の電流値をモニタリングすることで電線８の抵抗データを測定する。
【００３４】
制御部７は、抵抗データ測定部９により測定された抵抗データに基づいて、虫徘徊用台５に居る虫１０の個体数及び大きさを演算する。具体的には、メモリに予め記憶される、虫の個体数及び大きさと上記抵抗値との関数データを参照し、測定された抵抗データに基づき虫徘徊用台５に居る虫１０の個体数及び大きさを演算結果として取得する。その他の構成については、第１の実施形態と同様である。ここで、上述の図６及び図７に示す虫徘徊用台５が、本実施形態の虫徘徊用台５の変形例として適用できることは言うまでもない。
【００３５】
以上により、本実施形態の電撃殺虫器１においても、第１の実施形態と同様の効果が得られる。また、虫徘徊用台５に居る虫１０の個体数又は大きさを取得するために、カメラのような別装置を用いる必要がないので、本器具の外観設計を殆ど変更することなく、既存の器具の外観サイズを維持できる。
【００３６】
（第３の実施形態）
本発明の第３の実施形態に係る電撃殺虫器（捕虫器）について図１０を参照して説明する。図１０は本実施形態に係る電撃殺虫器１の構成を示す。本実施形態において、消音スピーカ４は、虫徘徊用台５を挟んで電撃格子２が配置されている側とは反対側に複数設置されている。制御部７は、虫観察用カメラ６による画像データに基づいて虫徘徊用台５に居る虫１０の位置を演算し、電撃格子２の各部位で生じる破裂音に合った逆位相音を、該部位に近接する消音スピーカ４から発生させる。その他の構成については、他の実施形態と同様である。これにより、破裂音が一層的確に打ち消され、破裂音に対する本器具の静音効果が上昇する。
【００３７】
なお、本発明は、上記各種実施形態の構成に限られず、発明の趣旨を変更しない範囲で種々の変形が可能である。例えば、上記実施形態では、誘虫光源５１によって虫１０を誘引する例を示したが、これに限られず、虫１０の好む匂いを発するものによって虫１０を誘引するようにしてもよい。また、電撃格子２の各部位で生じる破裂音に合った逆位相音を該部位に近接する消音スピーカ４から発生させる際に、制御部７が、抵抗データ測定部９による抵抗データに基づいて、虫徘徊用台５に居る虫１０の位置を演算してもよい。
【図面の簡単な説明】
【００３８】
【図１】本発明の第１の実施形態に係る電撃殺虫器の斜視図。
【図２】上記電撃殺虫器の正面図。
【図３】虫徘徊用台に居る虫の個体数及び大きさの演算手順を示す図。
【図４】イエバエにおける破裂音の波形データを示す図。
【図５】虫に電撃を与えたときに生じる破裂音の消音原理を示す図。
【図６】上記電撃殺虫器の虫徘徊用台の変形例を示す斜視図。
【図７】同虫徘徊用台の他の変形例を示す斜視図。
【図８】本発明の第２の実施形態に係る電撃殺虫器の斜視図。
【図９】上記電撃殺虫器の正面図。
【図１０】本発明の第３の実施形態に係る電撃殺虫器の正面図。
【符号の説明】
【００３９】
１  電撃殺虫器（捕虫器）
２  電撃格子
３  高電圧源
４  消音スピーカ
５  虫徘徊用台
６  虫観察用カメラ（画像データ取得手段）
７  制御部
８  電線
９  抵抗データ測定部（抵抗データ測定手段）
１０  虫
５１  誘虫光源（誘虫源）
７１  切替スイッチ
【図１】
2009284785.tif 000003
【図２】
2009284785.tif 000004
【図３】
2009284785.tif 000005
【図４】
2009284785.tif 000006
【図５】
2009284785.tif 000007
【図６】
2009284785.tif 000008
【図７】
2009284785.tif 000009
【図８】
2009284785.tif 000010
【図９】
2009284785.tif 000011
【図１０】
2009284785.tif 000012